(57)【特許請求の範囲】
【請求項１】
スプリンクラー消火設備の枝管または分岐管に接続される可撓管の末端部に、先端側にスプリンクラーヘッドが取り付けられ基端側に口金部を有するヘッドアダプターの前記口金部が挿入結合され、この口金部の外周に対応する前記可撓管の末端部の外周を金属製の被覆筒で覆うとともに該被覆筒をかしめており、前記被覆筒の一端部は前記ヘッドアダプターの外周の前記口金部より先端側に設けた溝に係合させていることを特徴とする、スプリンクラーヘッド用可撓管。
【請求項２】
前記被覆筒の他端部が前記口金部の長さよりも長く延長されている、請求項１記載のスプリンクラーヘッド用可撓管。
【請求項３】
スプリンクラー消火設備の枝管または分岐管に接続される可撓管の末端部に、先端側にスプリンクラーヘッドが取り付けられ基端側に口金部を有するヘッドアダプターの前記口金部が挿入結合され、この口金部の外周に対応する前記可撓管の末端部の外周を金属製の被覆筒で覆うとともに該被覆筒をかしめており、前記被覆筒の一端部は前記ヘッドアダプターの外周の前記口金部より先端側に設けた溝に係合させており、天井下地材側に前記被覆筒を取付金具で締め付け固定して前記スプリンクラーヘッドを所定高さ位置に取り付けていることを特徴とする、スプリンクラーヘッド取付け装置。
【請求項４】
前記取付金具が前記被覆筒を抱合するＵ字状に屈曲形成され、この取付金具の開放側端に天井下地材側に係合する係合部を、屈曲部に押えねじをそれぞれ備え、この押えねじの先端が前記被覆筒の外面に当接されている、請求項３記載のスプリンクラーヘッド取付け装置。
【発明の詳細な説明】
【０００１】
【発明の属する技術分野】
本発明は、元側端部がスプリンクラー消火設備の枝管または分岐管に接続され末端部にスプリンクラーヘッドが取り付けられるスプリンクラーヘッド用可撓管、及びスプリンクラーヘッド取付け装置に関する。
【０００２】
【従来の技術】
この種のスプリンクラーヘッド取付け装置として、図５に示すように、スプリンクラー消火設備の枝管または分岐管（図示せず）に接続されたポリブデン等合成樹脂からなる可撓管（巻出し可撓管とも称される。）２０と、この可撓管２０の末端部に回転自在に取り付けてある袋ナット２１に接続された屈曲管や直管よりなるスプリンクラーヘッド取付管２２と、このスプリンクラーヘッド取付管２２の先端部のヘッド取付け部２２ａの雌ねじ部にねじ込み結合されたスプリンクラーヘッド２３とを備えてなるものがある（例えば、特開２０００−１４８２２号公報、特開平７−１５１２６９号公報）。
【０００３】
そして、上記スプリンクラーヘッド取付管２２は、取付金具２４を用いて、野縁など天井下地材２５に直接又は補助支持部材２６を介して所定の取付け高さ位置になるよう下向きに取り付けられる。２７は天井材である。
【０００４】
【発明が解決しようとする課題】
しかるに、可撓管とは別途に長尺のスプリンクラーヘッド取付管２２が用いられる上記スプリンクラーヘッド取付け装置では、スプリンクラーヘッド取付管２２がコスト的に高価なものとなり、また、このスプリンクラーヘッド取付管２２の一端部を可撓管２０の末端部に袋ナット２１でねじ結合するという煩わしい手間がかかっていた。
【０００５】
本発明は、上記のような、スプリンクラー消火設備の枝管または分岐管に接続される可撓管において、この可撓管のスプリンクラーヘッドが取り付けられる末端部が従来の高コストの別途に用いられる長尺スプリンクラーヘッド取付管を不要として低コストで適度の強度、硬直度を具有し得るスプリンクラーヘッド用可撓管を提供することを目的とする。
また、本発明は、天井下地材に対し可撓管の末端部を取付金具の締付力で変形させたり潰したりすることなく強固に固定できるスプリンクラーヘッド取付け装置を提供することを目的とする。
【０００６】
【課題を解決するための手段】
本発明のスプリンクラーヘッド用可撓管は、スプリンクラー消火設備の枝管または分岐管に接続される可撓管の末端部に、先端側にスプリンクラーヘッドが取り付けられ基端側に口金部を有するヘッドアダプターの前記口金部が挿入結合され、この口金部の外周に対応する前記可撓管の末端部の外周を金属製の被覆筒で覆うとともに該被覆筒をかしめており、前記被覆筒の一端部は前記ヘッドアダプターの外周の前記口金部より先端側に設けた溝に係合させていることに特徴を有するものである。
【０００７】
この場合において、前記被覆筒の他端部は前記口金部の長さよりも長く延長させておくことができる。
【０００８】
本発明のスプリンクラーヘッド取付け装置は、スプリンクラー消火設備の枝管または分岐管に接続される可撓管の末端部に、先端側にスプリンクラーヘッドが取り付けられ基端側に口金部を有するヘッドアダプターの前記口金部が挿入結合され、この口金部の外周に対応する前記可撓管の末端部の外周を被覆筒で覆うとともに該被覆筒をかしめており、前記被覆筒の一端部は前記ヘッドアダプターの外周の前記口金部より先端側に設けた溝に係合させており、天井下地材側に前記被覆筒を取付金具で締め付け固定して前記スプリンクラーヘッドを所定高さ位置に取り付けていることに特徴を有するものである。
【０００９】
この場合において、前記取付金具は前記被覆筒を抱合するＵ字状に屈曲形成し、この取付金具の開放側端に天井下地材側に係合する係合部を、屈曲部に押えねじをそれぞれ備え、この押えねじの先端を前記被覆筒の外面に当接させることができる。
【００１０】
【作用】
上記構成のスプリンクラーヘッド用可撓管によれば、ヘッドアダプターの口金部が挿入結合された可撓管の末端部の外周は金属製の被覆筒で覆われて該被覆筒がかしめられているので、被覆筒の内周面を可撓管の末端部の外周面に気密状に圧接できるとともに、可撓管の先端部の内周面をヘッドアダプターの口金部に圧接してその間を防水性、気密性を保つ状態にシールできて漏水を防止できる。また、可撓管の末端部の外周は被覆筒により適度の強度、硬直度を有するものとなる。したがって、被覆筒は可撓管の末端部にヘッドアダプターの口金部を緊締する機能と末端部の補強、硬直性付与機能とを発揮する。
【００１１】
被覆筒の他端部は前記口金部の長さよりも長く延長させておくと、その延長分だけ適度の強度、硬直度を有する末端部を増長できることになる。
【００１２】
上記構成のスプリンクラーヘッド取付け装置によれば、スプリンクラーヘッドを所定高さ位置に取り付けるに際し可撓管の末端部にかしめられた被覆筒を天井下地材に対する取付固定部とすることにより天井下地材に対し可撓管の末端部を取付金具で変形させたり潰したりすることなく強固に固定できる。
【００１３】
取付金具は押えねじを備え、この押えねじの先端を前記被覆筒の外面に当接させることにより、押えねじにより可撓管が変形するのを防止できる。
【００１４】
【発明の実施の形態】
以下、本発明の好適な実施形態を図面に基づいて説明する。図１は本発明の一実施例を示すスプリンクラーヘッド取付け装置の正面図、図２は本発明の一実施例を示すスプリンクラーヘッド用可撓管の断面図、図３は図１におけるＡ−Ａ線断面図である。
【００１５】
図１、図２において、本発明に係るスプリンクラーヘッド用可撓管（以下、単に可撓管という。）１は、外側が樹脂層２、中央がアルミニウム層３、内側が樹脂層４の三層からなっている。この可撓管１はこれの元側端部がスプリンクラー消火設備の枝管または分岐管（図示せず）に接続され、末端部１ａにヘッドアダプター５が挿入結合され、ヘッドアダプター５にスプリンクラーヘッド７が取り付けられる。
【００１６】
ヘッドアダプター５は先端側にスプリンクラーヘッド７の雄ねじ部８がねじ込まれる雌ねじ部９を有し、基端側に可撓管１の末端部１ａに挿入結合される口金部１０を有している。口金部１０の外周には可撓管１の末端部１ａに差込み易く、差込み後は抜け出にくくした断面鋸歯状の食込歯１１を並列状に配列している。可撓管１の末端部１ａの内周と口金部１０の食込歯１１との間にはＮＢＲ等のＯリング６を介在させることにより防水性、気密性を保ってシール効果を高める。
【００１７】
ヘッドアダプター５の口金部１０の外周に対応する可撓管１の末端部１ａの外周はステンレス、アルミニウム等金属製の被覆筒１２で覆うとともに該被覆筒１２を加圧してかしめている。被覆筒１２の一端部１２ａはヘッドアダプター５の外周の口金部１０より先端側に設けた溝５ａに係合させ、他端部１２ｂは口金部１０の長さｍよりも長くなるように延長させている。
【００１８】
上記のように構成された可撓管１は被覆筒１２により末端部１ａにヘッドアダプター５が防水性、気密性を保つシール状態に結合されるとともに末端部１ａが適度の強度を有して硬直化されている。したがって、この可撓管１の末端部１ａはスプリンクラーヘッド７を野縁など天井下地材１３に直接又は補助支持部材１４を介して天井材２７の高さ、天井材２７の厚みなどに合わせて所定の取付け高さ位置になるよう取付金具１５で取り付けるのに最適なものとなる。
【００１９】
取付金具１５は、図２、図３に示すように、被覆筒１２を抱合するＵ字状に屈曲形成し、この取付金具１５の開放側端に天井下地材１３または補助支持部材１４に係合する凹欠状の係合部１６を、屈曲部１７に押えねじ１８をそれぞれ備えている。この取付金具１５は、被覆筒１２の外周を抱き込むように被覆筒１２にはめ込むとともに、係合部１６を補助支持部材１４に係合し、押えねじ１８の先端１８ａを被覆筒１２の外面に当接させて該押えねじ１８を回転させて締め付ける。この締め付けに伴い取付金具１５が可撓管１寄りに強く引き付けられるとともに可撓管１が補助支持部材１４に押し付けられ、可撓管１の末端部１ａが天井下地材１３に強固に取り付けられる。
【００２０】
その際、押えねじ１８を締め付ける前に、スプリンクラーヘッド７が所定の取付け高さ位置で下向きになるように、可撓管１の末端部１ａ上の被覆筒１２を補助支持部材１４上の取付金具１５内で上下方向にずらすことによりスプリンクラーヘッド７の取付け高さ調整が行われるが、このとき、被覆筒１２をヘッドアダプター５の口金部１０の長さｍよりも長く延長させてあると、その延長分だけ、適度の強度、硬直度を有する末端部を増長できるため、可撓管１を上下方向にずらすことによるスプリンクラーヘッド７の高さ調整可能な範囲、つまりスプリンクラーヘッド取付高さ調整代を増すことができる。
【００２１】
取付金具１５としては、図４に示すように、１対の挟持片１５ａ，１５ｂを平面視において略コの字状に接結し、その挟持片１５ａ，１５ｂの接結端側寄りに、上記取付金具１５の係合部１６と同様な係合部１６を設けるとともに、挟持片１５ａ，１５ｂの開放側遊端部に締付ねじ１９を螺合挿通してなる形態のものを使用することもできる。この取付金具１５は、挟持片１５ａ，１５ｂ間で被覆筒１２の外周を抱き込むように被覆筒１２にはめ込むとともに、係合部１６を補助支持部材１４に係合し、締付ねじ１９を締め付けることにより挟持片１５ａ，１５ｂ間で可撓管１の被覆筒１２を挟持するとともに、可撓管１を補助支持部材１４に対し押し付けて固定する。この場合においても、可撓管１は被覆筒１２を天井下地材１３に対する取付固定部とすることにより末端部１ａが挟持片１５ａ，１５ｂの挟持力により変形等を加えられるのを防止できる。
【００２２】
【発明の効果】
本発明のスプリンクラーヘッド用可撓管によれば、従来の別途の長尺スプリンクラーヘッド取付管よりも低コストの被覆筒をかしめることでもって、スプリンクラーヘッドの取り付けられる末端部を漏水防止を確保し得ながら適度の強度、硬直度を有する構造とすることができるという利点がある。
【００２３】
本発明のスプリンクラーヘッド取付け装置によれば、可撓管の末端部の被覆筒を天井下地材に対する取付固定部とすることにより天井下地材に対し可撓管の末端部を取付金具で変形させたり潰したりすることなく強固に取り付けることができるという効果を奏する。
【図面の簡単な説明】
【図１】  本発明の一実施例を示すスプリンクラーヘッド取付け装置の正面図である。
【図２】  本発明の一実施例を示すスプリンクラーヘッド用可撓管の断面図である。
【図３】  図１におけるＡ−Ａ線断面図である。
【図４】  他の実施例のスプリンクラーヘッド取付け装置を図３に相応して示す断面図である。
【図５】  従来例のスプリンクラーヘッド取付け装置の斜視図である。
【符号の説明】
１  可撓管
１ａ  末端部
５  ヘッドアダプター
７  スプリンクラーヘッド
１０  口金部
１２  被覆筒
１３  天井下地材
１５  取付金具
１６  係合部
１７  屈曲部
１８  押えねじ
【図１】
0003894800.tif 000002
【図２】
0003894800.tif 000003
【図３】
0003894800.tif 000004
【図４】
0003894800.tif 000005
【図５】
0003894800.tif 000006